(57)【要約】      （修正有）【課題】自律神経系の不調をもともなう、身体バランスの低下を改善するのに有用な身体バランス水晶糸状体を提供する。【解決手段】糸状体１または織成体の少くとも一部に、水晶微粒子２が付着もしくは混入されている。水晶微粒子は微細振動加工で平均粒径が１ｍｍ以下の真球状に加工されたものであり、糸状体は、天然繊維および合成繊維のうちの少くとも一種に、単糸もしくは編組、加撚および被覆のうちの少くとも一種の加工が施されたものであるのが好ましい。【選択図】図４
0003200404.tif 000002
【実用新案登録請求の範囲】
【請求項１】
水晶微粒子が糸状体に付着もしくは混入されていることを特徴とする身体バランス水晶糸状体。
【請求項２】
水晶微粒子は微細振動加工で真球状に加工されたものである請求項１記載の身体バランス水晶糸状体。
【請求項３】
水晶微粒子は、平均粒径が１ｍｍ以下である請求項１または２記載の身体バランス水晶糸状体。
【請求項４】
糸状体は、天然繊維および合成繊維のうちの少くとも一種であって、単糸もしくは編組、加撚および被覆のうちの少くとも一種の加工が施されたものである請求項１から３のうちのいずれか一項記載の身体バランス水晶糸状体。
【請求項５】
加熱、融着、およびバインダー処理のうちの少くとも一種の処理が施されている請求項１から４のうちのいずれか一項記載の身体バランス水晶糸状体。
【請求項６】
織物もしくは不織布に水晶微粒子が付着もしくは混入されていることを特徴とする身体バランス水晶織成体。
【請求項７】
水晶微粒子は微細振動加工で真球状に加工されたものである請求項６記載の身体バランス水晶織成体。
【請求項８】
織物もしくは不織布は、水晶振動子が付着もしくは混入された天然繊維および合成繊維のうちの少くとも一種から織成されたものである請求項６または７記載の身体バランス水晶織成体。
【請求項９】
加熱、融着、およびバインダー処理のうちの少くとも一種の加工が施されている請求項６から８のうちのいずれか一項に記載の身体バランス水晶織成体。
【請求項１０】
肌着、靴下、ソックス、手袋、帽子、マフラー、スカーフ、リストバンド、フットバンド、レッグバンド、腹帯、胸帯、肩パッド、ネックバンド、ヘッドバンド、マスク等の衣類、装身具の一部を構成していることを特徴とする身体バランス水晶糸状体または織成体。
【考案の詳細な説明】
【技術分野】
【０００１】
本考案は、身体バランスの維持、向上による健康増進に有用な身体バランス水晶糸状体と織成体に関するものである。
【背景技術】
【０００２】
従来より、ダイヤモンド、オパール、トルコ石やアメジスト（紫水晶）、透明水晶等の鉱物は、その輝き、色調、希少性等の理由から宝石、身製品等として尊重され、かつ、高価な財貨としても広く認められてきている。
【０００３】
一方、これらの鉱物のある種のものは、これを身体に装着するか、身辺に置くことで心身の快適さを増進し、心や身体の健康を促進するとの世評が否定し難いものとして知られてもいる。
【０００４】
いわゆる「パワーストーン」としての世評である。
【０００５】
このような世評に対しては、科学的に根拠が明らかでなく、信仰に似た迷妄であるとの批判が繰り返えされてもいる。
【０００６】
しかしながら、実生活において、科学的見識として明らかでない事象は多様に認められることは言うまでもない。「技術」そのものが、科学以前の事象としてあることも認められる。科学的理由の解明は進んでいないが、技術的な再現効果が否定し難い事象が認められるからである。
【０００７】
このような事象として、前記の「パワーストーン」の一つとしての水晶が知られている。
【０００８】
この水晶については、産業技術としては、例えば水晶振動子としてよく知られており、その特異な結晶構造と特性が注目されている。また、水晶は古くから人の心を映すものとして心身に大きな影響を及ぼすことも推認されている。ただ、これまでは、この心身に及ぼす影響について、これを実際的な技術的物品として社会に提示された例はほとんどないのが実情であった。
【考案の概要】
【考案が解決しようとする課題】
【０００９】
本考案者は、以上のような背景をも踏まえ、心身の健康への観点から、水晶体への関心を深めてきた。
【００１０】
特に近代社会における高ストレスにともなう身体バランスの不調や喪失に対しての有用性についての検討を進めてきた。
【００１１】
本考案は、以上のことから、自律神経系の不調をもともなう、身体バランスの低下に対して有用な、水晶体の利用についての新しい技術的手段を提供することを課題としている。
【課題を解決するための手段】
【００１２】
本考案の身体バランス糸状体は以下のことを特徴としている。
【００１３】
１Ａ．水晶微粒子が糸状体に付着もしくは混入されていることを特徴とする身体バランス水晶糸状体。
【００１４】
２Ａ．水晶微粒子は微細振動加工で真球状に加工されたものである身体バランス水晶糸状体。
【００１５】
３Ａ．水晶微粒子は、平均粒径が１ｍｍ以下である身体バランス水晶糸状体。
【００１６】
４Ａ．糸状体は、天然繊維および合成繊維のうちの少くとも一種であって、単糸もしくは編組、加撚および被覆のうちの少くとも一種の加工が施されたものである身体バランス水晶糸状体。
【００１７】
５Ａ．加熱、融着、およびバインダー処理のうちの少くとも一種の処理が施されている身体バランス水晶糸状体。
【００１８】
また、本考案の身体バランス水晶織成体は以下のことを特徴としている。
【００１９】
１Ｂ．織物もしくは不織布に水晶微粒子が付着もしくは混入されていることを特徴とする身体バランス水晶織成体。
【００２０】
２Ｂ．水晶微粒子は微細振動加工で真球状に加工されたものである身体バランス水晶織成体。
【００２１】
３Ｂ．織物もしくは不織布は、水晶振動子が付着もしくは混入された天然繊維および合成繊維のうちの少くとも一種から織成されたものである身体バランス水晶織成体。
【００２２】
４Ｂ．加熱、融着、およびバインダー処理のうちの少くとも一種の加工が施されている身体バランス水晶織成体。
【００２３】
５Ｂ．水晶微粒子は平均粒径が１ｍｍ以下である身体バランス水晶組成体。
【００２４】
そして、本考案は、以上の糸状体もしくは織成体が肌着、靴下、ソックス、手袋、帽子、マフラー、スカーフ、リストバンド、フットバンド、レッグバンド、腹帯、胸帯、肩パッド、ネックバンド、ヘッドバンド、マスク等の衣類、装身具の一部を構成していることを特徴とする身体バランス水晶糸状体または織成体を提供する。
【考案の効果】
【００２５】
本考案の身体バランス水晶糸状体または織成体によれば、自律神経系の不調をもともなう、身体バランスの低下に対してこれを改善するのに有用な、簡易な新しい手段が提供される。
【図面の簡単な説明】
【００２６】
【図１】糸への水晶微粒子の付着の実施形態を例示した概要斜視図である。
【図２】付着とともに水晶微粒子の混入の実施形態を例示した概要斜視図である。
【図３】編組された単糸の間に水晶微粒子が結着混入された実施形態を例示した概要断面図である。
【図４】織物の織目に水晶微粒子が結着された実施形態を例示した概要斜視図である。
【考案を実施するための形態】
【００２７】
本考案の身体バランス水晶糸状体または織成体では、少くともその一部に、水晶微粒子、より好ましくは微細振動加工が施された水晶微粒子が付着もしくは混入されている。
【００２８】
図１は、糸１に水晶微粒子２が付着している例を示している。図２は、糸１に水晶微粒子２ａが付着していることと、糸１の内部に水晶微粒子２ｂが混入されている例を示している。本考案で規定するところの糸状体は、糸１として、天然繊維および合成繊維のうちの少くとも１種であってよく、また、糸１は、単糸でもよいし、編組、加撚、被覆されたものであってもよい。そして、本考案の糸状体は、加熱、融着、もしくはバインダーによる結着処理等により水晶微粒子が付着もしくは混入されたものでもよい。ポリエステル、ナイロン、アクリル等の合成繊維の場合には、例えば水晶微粒子が分散された紡糸浴中で紡糸されることで水晶微粒子が混入されたものとしてもよい。
【００２９】
図３は、単糸１０が編組された糸１の例を示している。この例においては、単糸の融着によって水晶微粒子２が単糸の間に付着もしくは混入されている。
【００３０】
有機成分等をバインダーとして用いることで以上のような付着状態をより強くすることができる。これにより、付着もしくは混入された水晶微粒子の脱離、脱着を抑止することも考慮される。
【００３１】
本考案の織成体は、以上のような水晶微粒子を付着もしくは混入した糸状体を用いて不織布または織物として織成したものとすることができる。
【００３２】
あるいはまた、不織布または織物に、水晶微粒子を付着もしくは混入処理したものとすることができる。図４はこのような例を示したものであって、主として糸１の織物３での織目に水晶微粒子２を保持するように、付着もしくは混入させて結着させている。
【００３３】
水晶微粒子２の織物３への結着は、加熱、融着、バインダー結合をはじめ、さらにはプラズマ照射処理、光照射処理等の各種の手段が適宜に考慮される。
【００３４】
本考案において、糸状体や織成体はその一部、もしくは全体が弾性体であってもよい。
【００３５】
本考案においては、水晶微粒子は様々な外形を有していてもよく、その調製方法も各種であってよいが、より好ましくは、水晶微粒子は、本考案において微細振動加工が施されたものである。この微細振動加工は、不定形もしくは非球形の水晶粒子に対して微弱な力での、超音波や、電磁的な、もしくは機械的な振動を印加することで、ほぼ真球状の微粒子に加工することをその意義としている。水晶微粒子の平均粒径は、一般的には３ｍｍ以下、より好ましくは１ｍｍ以下である。
【００３６】
このような微細な水晶微粒子は、微細振動加工によってほぼ真球形であることで、水晶微粒子の結晶構造と外部との接触動による振動が、身体バランスの維持、向上に有益なものとなっていると考えられる。
【００３７】
本考案においては、水晶微粒子の付着ないし混入の割合は様々であってよく、基体としての糸状体もしくは織成体に対しての質量比として、例えば０．０１〜５の広い範囲とすることができる。
【００３８】
なお、本考案における糸状体または織成体は、肌着、靴下、ソックス、手袋、帽子、マフラー、スカーフ、マスク等の肌に接する衣類や装身具の一部を構成するものであってもよい。例えば、靴下、ソックスの足具、レッグまわりの弾性部位の一部とすることができる。
【００３９】
例えば、手首に本考案の身体バランス水晶織成体をリストバンドとして装着し、株式会社疲労科学研究所の体バランス・自律神経比較試験を行い、被験者（３０名）について自律神経機能の変化を検討した。
【００４０】
手首への装着後には、自律神経機能バランスが優位に低下していることが確認された。また、自律神経活動（ｔｏｔａｌＰＷ）、自律神経活動の揺らぎ（ＣＣＶＴＰ）のいずれにおいても、手首への装着後には、同様に、自律神経活動のゆらぎが優位に低下することが確認された。これは、本考案の身体バランス水晶織成体のリストバンドを手首に装着したことで、交感神経機能が抑制されたことを示唆している。つまり、交感神経機能を抑え、相対的に副交感神経機能の比率を大きくする効果が示唆されていると言える。
【００４１】
また、体バランスの体感チェック試験においては、直立して両手を背中腰部で結んだ状体において、他者が両手を直下に押した場合のバランスを評価すると、上記のように手首に装着した場合には９０％以上の被験者が安定して直立姿勢を保つことができたが、非装着の場合には、逆に９０％以上の被験者はバランスを崩し、安定した直立状態を保つことができなかった。
【００４２】
身体のバランスが崩れ、重心が揺らぐと身体を動かすことの余分な力が必要になる。その結果、疲れやすくなり、動きがスムーズにできないため、関節などに負担がかかりストレスや痛みを誘発しやすくなる。
【００４３】
これに対し、本考案によれば、人が本来持っているバランス能力を取り戻し、心身の安定を向上することが可能となる。
【図１】
0003200404.tif 000003
【図２】
0003200404.tif 000004
【図３】
0003200404.tif 000005
【図４】
0003200404.tif 000006
【手続補正書】
【提出日】平成27年8月7日(2015.8.7)
【手続補正１】
【補正対象書類名】実用新案登録請求の範囲
【補正対象項目名】全文
【補正方法】変更
【補正の内容】
【実用新案登録請求の範囲】
【請求項１】
水晶微粒子が糸状体に付着もしくは混入されていることを特徴とする身体バランス水晶糸状体。
【請求項２】
水晶微粒子は微細振動加工で真球状に加工されたものである請求項１記載の身体バランス水晶糸状体。
【請求項３】
水晶微粒子は、平均粒径が１ｍｍ以下である請求項１または２記載の身体バランス水晶糸状体。
【請求項４】
糸状体は、天然繊維および合成繊維のうちの少くとも一種であって、単糸もしくは編組、加撚および被覆のうちの少くとも一種の加工が施されたものである請求項１から３のうちのいずれか一項記載の身体バランス水晶糸状体。
【請求項５】
加熱、融着、およびバインダー処理のうちの少くとも一種の処理が施されている請求項１から４のうちのいずれか一項記載の身体バランス水晶糸状体。
【請求項６】
織物もしくは不織布に水晶微粒子が付着もしくは混入されていることを特徴とする身体バランス水晶織成体。
【請求項７】
水晶微粒子は微細振動加工で真球状に加工されたものである請求項６記載の身体バランス水晶織成体。
【請求項８】
織物もしくは不織布は、水晶振動子が付着もしくは混入された天然繊維および合成繊維のうちの少くとも一種から織成されたものである請求項６または７記載の身体バランス水晶織成体。
【請求項９】
加熱、融着、およびバインダー処理のうちの少くとも一種の加工が施されている請求項６から８のうちのいずれか一項に記載の身体バランス水晶織成体。
【請求項１０】
肌着、靴下、ソックス、手袋、帽子、マフラー、スカーフ、リストバンド、フットバンド、レッグバンド、腹帯、胸帯、肩パッド、ネックバンド、ヘッドバンド、マスク等の衣類、装身具の一部を構成していることを特徴とする請求項１から９のうちのいずれか一項に記載の身体バランス水晶糸状体または織成体。